(57)【要約】【技術課題】施工が簡単で付け替えを簡単にできる避難誘導標示装置を得る。【解決手段】ステンレス製のプレート板２の上面に、蓄光塗料層３により避難方向を示す誘導標示４を焼成した避難誘導標示装置１において、前記プレート板２の裏面に取付足５を形成し、床６に前記取付足５が遊び嵌合するプレート取付孔７を穿孔し、このプレート取付孔７内に加熱溶融したエポキシ系接着剤８を注入してから前記プレート板２の取付足５をこのプレート取付孔７内に嵌入して床６にプレート板２を圧接する。前記エポキシ系接着剤８は、常温で固化するため、その後、避難誘導標示装置１は床６に固定される。【選択図】図５
0003119597.tif 000002
【実用新案登録請求の範囲】
【請求項１】
ステンレス製のプレート板の上面に、蓄光塗料層により避難方向を示す標識を焼成した避難誘導標示板において、前記プレート板の裏面に取付足を突設すると共に、、床又は壁面に前記取付足が遊び嵌合するプレート取付孔を穿孔し、このプレート取付孔内に、常温で固化し、加熱により溶融する接着剤を注入してから前記プレート板の取付足をこの接着剤が溶融した状態のプレート取付孔内に嵌入して床又は壁面にプレート板を圧接し、前記接着剤の固化によりプレート板を床又は壁面に固定することができるように構成した避難誘導標示装置。
【請求項２】
前記プレート板の各コーナーにはＲがつけられていることを特徴とする請求項１に記載の避難誘導標示装置。
【請求項３】
前記プレート板の周縁には、プレート板の厚みを直角に出さないためにＲ又は傾斜がつけてあることを特徴とする請求項１又は２に記載の避難誘導標示装置。
【請求項４】
前記接着剤として、エポキシ系接着剤が用いられていることを特徴とする請求項１に記載の避難誘導標示装置。
【請求項５】
前記取付足の周囲には、係合手段が形成されていることを特徴とする請求項１に記載の避難誘導標示装置。
【請求項６】
前記プレート取付孔は、内部に向って末広がり状となるテーパーがつけられていることを特徴とする請求項１に記載の避難誘導標示装置。
【考案の詳細な説明】
【技術分野】
【０００１】
本考案は、建物内で発生した火災や停電時に、避難者を確実かつ安全に非常口方向に誘導するための避難誘導標示装置に関するもので、更に詳しくは、蓄光塗料で避難方向を標示するように形成し、かつ床や壁に手軽に後付けしたり、損傷したような際や誘導方向が変わったような場合に、簡単に取り外したり、交換して付け替えたりできる避難誘導標示装置に関する。
【背景技術】
【０００２】
上記した避難誘導標示装置としては、特開平１１−０２５３６６号公報に掲載のものが公知である。この公知例は、建造物内の火災発生時に避難者を安全に、かつ、確実に出口（非常口）方向へ誘導できる構成が簡単で設置も容易な避難誘導装置に関するもので、発光装置２と所定温度で融解するサーモスタット３とを電力を供給する電線４に直列に接続して少なくとも表面側が透光性を有する板状保護体５に内蔵して発光ユニット１を形成し、この発光ユニット１を複数個、建造物の通路の床面又は壁面に出口（非常口）方向に並べて設置し、電源系統ブロックごとに電線４間を接続して避難誘導装置を構成するものである。
しかし、この公知例の場合、発光装置２は電源を必要としたり、電線４を必要としていることから、これら発電装置２や電線４にトラブルが発生すると用をなさないことになると共に、施工にコストがかかるという欠点がある。
【０００３】
そこで、コストがかからない蓄光式表示体が特開平１０−２０８１５５号公報に掲載されている。この公知例は、耐久性に優れた避難誘導標識に関するもので、蓄光性材料が混有された合成樹脂またはセメント硬化物で蓄光標章部が形成されており、該蓄光標章部が基材の表面側に一体的に埋め込まれた内容である。
しかし、この表示体の場合、床や壁に後付けする際、そのまま基材を床の表面に貼り付けると、段差が生じ、また見た目にも悪いことから、通常は床を基材が収まる大きさにカットし、ここに表示体を接着剤を用いて貼り付ける必要があり、施工に手間と費用がかかる。
また、一旦施工したものが損傷したり、交換の必要が生じると、表示体を剥がし取ることが必要となり、これは極めて大変な作業となる。
【０００４】
また、蓄光性構造物で避難誘導を行うための提案として、特開平８−３１０８４８号公報には、ビルや地下街の避難通路における災害時の停電に際して、当該避難通路を発光させて避難誘導を確実に行うことができるように、基礎７に対し現場施工でモルタルのセメント９と蓄光剤１０を設定比率で混合収納し、特殊ポリマー１１と水１２を混合攪拌１４し、基礎７上に施工現場で厚さ１〜２mmにコーティングし、構造物８'を形成し、これにより厚さが１〜２mmのモルタルであるために、モルタル資材や蓄光剤が少くてすみ、コストダウンが図れ、又、特殊ポリマーにより強固な接着性と強度を有し、加えて、特殊ポリマー液層を蓄光剤と混入させてカバーコーティング８''とすることにより、強固な接着性，耐候性と耐油侵透性を保持し、耐久性が向上し、施工性と耐久性を保持することが出来、蓄光性による発光時間が避難に充分に機能するように働くとしたものである。
しかし、この公知例の場合も、床や壁に後付けする際に手間がかかり、更に手軽に交換したりすることができないという不便さがある。
【考案の開示】
【考案が解決しようとする課題】
【０００５】
本考案は斯る点に鑑みて提供されるものであって、その目的は、床や壁に簡単に後付けすることができると共に、必要に応じて手軽に新品のものに交換することができ、更に、段差を可及的に無くしてつまづきの原因となるのを防ぐことができる避難誘導標示装置を提供することである。
【課題を解決するための手段】
【０００６】
上記目的を達成するため、請求項１に記載の考案においては、ステンレス製のプレート板の上面に、蓄光塗料層により避難方向を示す標識を焼成した避難誘導標示板において、前記プレート板の裏面に取付足を突設すると共に、床又は壁面に前記取付足が遊び嵌合するプレート取付孔を穿孔し、このプレート取付孔内に、常温で固化し、加熱により溶融する接着剤を注入してから前記プレート板の取付足をこの接着剤が溶融した状態のプレート取付孔内に嵌入して床又は壁面にプレート板を圧接し、前記接着剤の固化によりプレート板を床又は壁面に固定することができるように構成したことを特徴とするものである。
【０００７】
更に、請求項２に記載の考案においては、請求項１に記載の避難誘導標示装置において、前記プレート板の各コーナーにはＲがつけられていることを特徴とするものである。
【０００８】
更に、請求項３に記載の考案においては、請求項１又は２に記載の避難誘導標示装置において、前記プレート板の周縁には、プレート板の厚みを直角に出さないためにＲ又は傾斜がつけてあることを特徴とするものである。
【０００９】
更に、請求項４に記載の考案においては、請求項１に記載の避難誘導標示装置において、前記接着剤として、エポキシ系接着剤が用いられていることを特徴とするものである。
【００１０】
更に、請求項５に記載の考案においては、請求項１に記載の避難誘導標示装置において、前記取付足の周囲には、係合手段が形成されていることを特徴とするものである。
【００１１】
更に、請求項６に記載の考案においては、請求項１に記載の避難誘導標示装置において、前記プレート取付孔は、内部に向って末広がり状となるテーパーがつけられていることを特徴とするものである。
【００１２】
上記標示装置を後付けする場合には、床又は壁にプレート取付穴を穿孔し、このプレート取付穴内に例えば、エポキシ系接着剤を注入する（流し込む）。この注入量は、プレート取付穴いっぱいにすると、取付足を嵌入したときに穴から接着剤が溢れてしまうので、溢れない程度の量とする。接着剤は、加熱により溶融したものを使うと、常温で固化し、プレート板を確実に固定でき、一方、プレート板を取り外す必要が生じた時は、例えばバーナによりプレート板の上から取付足の部分を加熱すると、接着剤が溶融するため、簡単にプレート板を床から取り外すことができる。
そして、新品に交換する場合には、この接着剤が溶融している間に新品の取付足をプレート取付穴に嵌入すれば、再び接着剤は常温で固化し、プレート板は固定される。
なお、上記は、交換を前提としたときに用いる接着剤の例であるが、交換を前提としない場合には、加熱溶融特性を有する接着剤でなくても良い。
【考案の効果】
【００１３】
本考案は以上のように、プレート板の上面に蓄光塗料で誘導標示を現出させ、かつプレート板の裏に取付足を突出して形成し、床又は壁に設けたプレート取付穴内に接着剤を注入し、その上でプレート板の取付足を取付穴内に嵌合し、接着剤で固定するようにしただけのため、標示装置はシンプル化してそのコストは安く、また、標示装置を後付けする際に、施工が極めて簡単である。
【００１４】
また、加熱溶融特性を有する接着剤でプレート板を取付穴内に固定する方法を使用した場合、あとでプレート板の上からバーナー等で取付穴の部分を加熱すると、接着剤が溶融するため簡単にプレート板を取り外すことができるため、誘導方向が変わって別なプレート板に取り替えたりする際に便利であると共に、不要となった場合には、プレート取付穴に詰め物をするだけで良く、標示装置が取り付けられていた痕跡を最小に抑えることができる。
次に、本考案の標示装置の場合、プレート板及び蓄光塗料層の周囲のエッジ部分にＲ又は傾斜をつけたことにより、つまづきを防ぐことができる。
【実施例】
【００１５】
以下、図１〜図８に基づいて、本考案に係る標示装置の実施例を詳細に説明する。各図において、符号の１は標示装置を示し、この標示装置１は、ステンレス（ＳＵＳ４３０）で形成されたプレート板２の上面に蓄光塗料層３により図１に示す誘導標示４を標示し、更にプレート板２の裏面にステンレス（ＳＵＳ４０３）の丸鋼（φ８×１２Ｌ）で四ヶ所に溝５ａ付の取付足５を突設した構成であって、プレート板２は幅１１０ｍｍ、長さ２２０ｍｍ、厚さ１ｍｍ、蓄光塗料層３の厚さ１ｍｍである。
【００１６】
図４及び図５に基づいて上記した標示装置１の取り付け例を説明する。図４は床６に取付穴７を穿孔し、この取付穴７内に溶融した状態のエポキシ系接着剤８を注入し、標示装置１の取付足５をこの上に持って来た状態である。一方、図５は標示装置１を下げてプレート板２の取付足５を取付穴７内に嵌合した状態を示し、この状態において、エポキシ系接着剤８は固化し、プレート板２を床６面に固定する。
図６はこのようにして取り付けが終了した標示装置１の周囲の角を示し、この周囲には、面取り３ａが施されている状態を示すものである。
【００１７】
図７は取付足５について、接着剤８が固化した後で、抜けないように形成した固定強度増大手段の例を示すもので、取付足５の周囲には、凹状窪み９が形成されている。但し、この窪み９は、反対に凸部としても良い。
図８は、取付足５の周囲にスパイラル状のリブ１０を形成し、取付穴７を末広がり形状に穿孔した例である。なお、接着剤の種類は問わない。また、接着剤は、取付穴７だけでなく、プレート板２の裏面全体に塗布して用いても良い。
【図面の簡単な説明】
【００１８】
【図１】本考案に係る誘導標示装置の正面図
【図２】Ａ−Ａ′線断面図
【図３】プレート板の裏面に突接された取付足を示す説明図
【図４】床に取付穴を穿孔したところに誘導標示装置を取り付ける直前の説明図
【図５】床に誘導標示装置を取り付けた状態の説明図
【図６】誘導標示装置の周囲の一部を示す断面図
【図７】取付足に窪みを形成した例の説明図
【図８】取付足にスパイラルリブを形成し、取付穴を末広がり状に形成した例の説明図
【符号の説明】
【００１９】
１  誘導標示装置
２  プレート板
３  蓄光塗料層
４  誘導標示
５  取付足
６  床
７  取付穴
８  エポキシ系接着剤
９  窪み
１０  リブ
【図１】
0003119597.tif 000003
【図２】
0003119597.tif 000004
【図３】
0003119597.tif 000005
【図４】
0003119597.tif 000006
【図５】
0003119597.tif 000007
【図６】
0003119597.tif 000008
【図７】
0003119597.tif 000009
【図８】
0003119597.tif 000010